(57)【要約】【課題】塗工液の液温が環境温度の影響を受けて、その粘度が変化し、浸漬法のよる円筒状導電性基体の塗布付着量に大きく影響を及ぼすようなことが無く、安定した塗布膜を形成することを目的とする【解決手段】この装置は、塗工槽からの戻り液を貯溜するストレージタンク１と、塗工液を送液するポンプ２と、ポンプ２から送られてくる塗工液の除塵を行うフィルター４と、塗工液の流量を計測する流量計３と、この塗工液を冷却もしくは加熱する熱交換器５と、この熱交換器へ熱媒体を供給する恒温水発生装置７及び熱媒体供給管１４と、感光体を塗布する塗工槽６と、前記の経路で送る管路８で構成される。【選択図】　図１
2004029176.tif 000002
【特許請求の範囲】
【請求項１】
塗工槽からの戻り液を貯溜するストレージタンクと、塗工液を送液するポンプと、ポンプから送られてくる塗工液の除塵を行うフィルターと、塗工液の流量を計測する流量計と、この塗工液を冷却もしくは加熱する熱交換器と、この熱交換器へ熱媒体を供給する恒温水発生装置と、感光体に塗工液を塗布する塗工槽と、前記の経路で送る管路を具備したことを特徴とする電子写真用感光体の塗工液供給装置。
【請求項２】
前記熱交換器は管路であり、この管路に熱媒体を通した熱交換部の細管を配したことを特徴とする請求項１記載の電子写真用感光体の塗工液供給装置。
【請求項３】
前記熱交換器内の熱媒体を通した熱交換部の細路が螺旋形状であることを特徴とする請求項２記載の電子写真用感光体の塗工液供給装置。
【請求項４】
前記塗工槽に液温測定センサーを具備し、この液温測定センサーから得られた温度データを監視し、このデータを基に恒温水発生装置の熱媒体の温度を制御する温度制御装置を具備したことを特徴とする請求項２記載の電子写真用感光体の塗工液供給装置。
【請求項５】
前記熱交換器の熱媒体を供給する恒温水発生装置の熱媒体供給口に液温度測定センサーを具備したことを特徴とする請求項２記載の電子写真用感光体の塗工液供給装置。
【請求項６】
前記ストレージタンクに液温度測定センサーを具備したことを特徴とする請求項２記載の電子写真用感光体の塗工液供給装置。
【請求項７】
前記熱交換器が複数台直列に配されたことを特徴とする請求項２記載の電子写真用感光体の塗工液供給装置。
【請求項８】
前記熱交換器が複数台並列に配されたことを特徴とする請求項２記載の電子写真用感光体の塗工液供給装置。
【請求項９】
塗工槽からの戻り液を貯溜するストレージタンクと、塗工液を送液するポンプと、ポンプから送られてくる塗工液の除塵を行うフィルターと、塗工液の流量を計測する流量計と、ストレージタンク胴囲に塗工液を冷却もしくは加熱する熱交換器と、この熱交換器へ熱媒体を供給する恒温水発生装置と、感光体を塗布する塗工槽と、前記の経路で送る管路を具備したことを特徴とする電子写真用感光体の塗工液供給装置。
【請求項１０】
前記熱交換器がジャケットであることを特徴とする請求項９記載の電子写真用感光体の塗工液供給装置。
【請求項１１】
前記熱交換器内の熱媒体を通した熱交換部が螺旋形状の配管であることを特徴とする請求項９記載の電子写真用感光体の塗工液供給装置。
【請求項１２】
前記塗工槽に液温測定センサーを具備し、この液温測定センサーから得られた温度データを監視し、このデータを基に恒温水発生装置の熱媒体の温度を制御する温度制御装置を具備したことを特徴とする請求項９記載の電子写真用感光体の塗工液供給装置。
【請求項１３】
前記熱交換器の熱媒体を供給する恒温水発生装置の熱媒体供給口に液温度測定センサーを具備したことを特徴とする請求項９記載の電子写真用感光体の塗工液供給装置。
【請求項１４】
前記ストレージタンクに液温度測定センサーを具備したことを特徴とする請求項９記載の電子写真用感光体の塗工液供給装置。
【請求項１５】
ストレージタンクに貯溜した塗工液をポンプで送液し、ポンプから送られてくる塗工液をフィルターで除塵し、塗工液の流量を流量計で計測管理し、この塗工液を熱交換器で予冷もしくは加熱し、この熱交換器へ熱媒体を恒温水発生装置によって供給し、感光体を浸漬法により塗布するため塗工槽に塗工液を供給する電子写真用感光体の塗工液供給方法。
【請求項１６】
前記熱交換器は管路であり、この管路に熱交換部の細管を配して、この細管へ熱媒体を通して塗工液を送液しながら塗工液を一定温度にする請求項１５記載の電子写真用感光体の塗工液供給方法。
【請求項１７】
前記熱交換器の熱交換部の細路は螺旋形状であり、この細管に熱媒体を通して塗工液を一定温度にする請求項１５記載の電子写真用感光体の塗工液供給方法。
【請求項１８】
前記塗工槽の液温を液温測定センサーで計測し、この液温測定センサーから得られた温度データを監視し、このデータを基に熱媒体の温度を制御し、塗工液を一定温度にする請求項１５記載の電子写真用感光体の塗工液供給方法。
【請求項１９】
前記熱交換器の熱媒体を供給する恒温水発生装置の熱媒体供給口の液温を液温測定センサーで計測し、この液温測定センサーから得られた温度データを監視し、このデータを基に熱媒体の温度を制御し、塗工液を一定温度にする請求項１５記載の電子写真用感光体の塗工液供給方法。
【請求項２０】
前記ストレージタンクの液温を液温測定センサーで計測し、この液温測定センサーから得られた温度データを監視し、このデータを基に熱媒体の温度を制御し、塗工液を一定温度にする請求項１５記載の電子写真用感光体の塗工液供給方法。
【請求項２１】
直列に配した熱交換器によって塗工液を一定温度にする請求項１５記載の電子写真用感光体の塗工液供給方法。
【請求項２２】
並列に配した熱交換器にって塗工液を一定温度にする請求項１５記載の電子写真用感光体の塗工液供給方法。
【請求項２３】
ストレージタンクに貯溜した塗工液をポンプで送液し、ポンプから送られてくる塗工液をフィルターで除塵し、塗工液の流量を流量計で計測管理し、この塗工液を熱媒体を通したストレージタンクの胴囲の熱交換器によって一定温度に保温し、感光体を浸漬法により塗布するため塗工槽に塗工液を供給する電子写真用感光体の塗工液供給方法。
【請求項２４】
熱媒体を通したストレージタンクの胴囲の熱交換器がジャケットであって、このジャケットに熱媒体を通して塗工液を一定温度に保温して塗工液を供給する請求項２３記載の電子写真用感光体の塗工液供給方法。
【請求項２５】
前記熱交換器の熱交換部が螺旋形状の配管であって、この配管に熱媒体を通して塗工液を一定温度にする請求項２３記載の電子写真用感光体の塗工液供給方法。
【請求項２６】
塗工槽の塗工液の液温を液温測定センサーで計測し、この液温測定センサーから得られた温度データを監視し、温度制御装置がこのデータを基に恒温水発生装置の熱媒体温度を制御し、塗工槽の塗工液を一定温度に保温して塗工液を供給する請求項２３記載の電子写真用感光体の塗工液供給方法。
【請求項２７】
前記熱交換器へ熱媒体を供給する恒温水発生装置の熱媒体供給口の液温を液温測定センサーで計測し、この液温測定センサーから得られた温度データを監視し、このデータを基に熱媒体の温度を制御し、塗工液を一定温度にする請求項２３記載の電子写真用感光体の塗工液供給方法。
【請求項２８】
前記ストレージタンクの液温を液温測定センサーで計測し、この液温測定センサーから得られた温度データを監視し、このデータを基に熱媒体の温度を制御し、塗工液を一定温度にする請求項２３記載の電子写真用感光体の塗工液供給方法。
【発明の詳細な説明】
【０００１】
【発明の属する技術分野】
本発明は、電子写真用有機感光体の円筒状導電性基体表面に浸漬法により有機感光層の薄膜を形成する塗布装置並びに方法に係わり、特に塗布装置の一部を構成する液供給装置に関する。
【０００２】
【従来の技術】
円筒状導電性基体の塗工装置に係わる塗工液の液供給装置に関連する公知技術は特開平７−１９５００８、特開平７−２０９８８５、特開２０００−１０３０４、特開平３−５２６６９、特開平４−１１４７６１、特開平２−１４９３６６、特開平３−５２６６９、特開平４−１８６２４９、特開平４−１８６２４９、特開平３−５２６６５、特開平２−１４９３６６、特開昭６０−１４６２４２、特開平６０−１４６２４２、特開昭６１−２１６７６９、特開平９−１９７６９０、特開平１１−７２９３２、特開平９−２５８４６３、特開昭６０−６１７５６が知られている。この中の特開平７−２０９８８５を図１６に示している。塗布液１１を充填した円筒状塗工槽６と円筒状導電性基体１２を浸漬させ、この円筒状導電性基体１２を円筒状塗工槽６より引き上げるための図示しない基体昇降装置と、円筒状塗工槽６から溢れた塗布液１１を一時的に貯流するストレージタンク１と、円筒状塗工槽６とストレージタンク１との間で塗布液１１を循環させながら円筒状塗布槽６の液面を一定に保つ塗布循環機構即ちオーバーフロー配管系８ｃと、循環ポンプ２を有する供給配管系８ａとを備えている。前述の方法によればストレージタンク１の塗布液１１の液温は周囲の環境温度で変化し、その影響で塗布液の粘度も変化しその結果、浸漬法による円筒状導電性基体１２の塗布付着量が著しく変化し、安定した塗布膜を形成することができなく所望の製品品質を得ることが困難となる問題があった。
【０００３】
【発明が解決しようとする課題】
本発明は、このような従来技術の問題点を解消した塗工液供給装置及び塗工液供給方法を提供することを課題とする。
【０００４】
【課題を解決するための手段】
本発明により提供される電子写真用感光体の塗工液供給装置は、上記課題を解決するため以下の構成を採用する。
（１）塗工槽からの戻り液を貯溜するストレージタンクと、塗工液を送液するポンプと、ポンプから送られてくる塗工液の除塵を行うフィルターと、塗工液の流量を計測する流量計と、この塗工液を冷却もしくは加熱する熱交換器と、この熱交換器へ熱媒体を供給する恒温水発生装置と、感光体に塗工液を塗布する塗工槽と、前記の経路で送る管路を具備したことを特徴とする。
【０００５】
（２）本発明により提供される電子写真用感光体の塗工液供給装置は、塗工槽からの戻り液を貯溜するストレージタンクと、塗工液を送液するポンプと、ポンプから送られてくる塗工液の除塵を行うフィルターと、塗工液の流量を計測する流量計と、この塗工液を冷却もしくは加熱する熱交換器と、この熱交換器へ熱媒体を供給する恒温水発生装置と、感光体に塗工液を塗布する塗工槽と、前記の経路で送る管路を具備し、且つ前記熱交換器は管路であり、この管路に熱媒体を通した熱交換部の細管を配したことを特徴とする上記（１）記載の電子写真用感光体の塗工液供給装置である。
【０００６】
（３）本発明により提供される電子写真用感光体の塗工液供給装置は、上記課題を解決するため、塗工槽からの戻り液を貯溜するストレージタンクと、塗工液を送液するポンプと、ポンプから送られてくる塗工液の除塵を行うフィルターと、塗工液の流量を計測する流量計と、この塗工液を冷却もしくは加熱する熱交換器と、この熱交換器へ熱媒体を供給する恒温水発生装置と、感光体に塗工液を塗布する塗工槽と、前記の経路で送る管路を具備し、且つ前記熱交換器内の熱媒体を通した熱交換部の細路が螺旋形状であることを特徴とする上記（２）記載の電子写真用感光体である。
【０００７】
（４）本発明により提供される電子写真用感光体の塗工液供給装置は、塗工槽からの戻り液を貯溜するストレージタンクと、塗工液を送液するポンプと、ポンプから送られてくる塗工液の除塵を行うフィルターと、塗工液の流量を計測する流量計と、この塗工液を冷却もしくは加熱する熱交換器と、この熱交換器へ熱媒体を供給する恒温水発生装置と、感光体に塗工液を塗布する塗工槽と、前記の経路で送る管路を具備し、且つ塗工槽に液温測定センサーを具備し、この液温測定センサーから得られた温度データを監視し、このデータを基に恒温水発生装置の熱媒体の温度を制御する温度制御装置を具備したことを特徴とする上記（２）記載の電子写真用感光体の塗工液供給装置である。
【０００８】
（５）本発明により提供される電子写真用感光体の塗工液供給装置は、塗工槽からの戻り液を貯溜するストレージタンクと、塗工液を送液するポンプと、ポンプから送られてくる塗工液の除塵を行うフィルターと、塗工液の流量を計測する流量計と、この塗工液を冷却もしくは加熱する熱交換器と、この熱交換器の熱媒体を供給する恒温水発生装置と、感光体に塗工液を塗布する塗工槽と、前記の経路で送る管路を具備し、且つ前記熱交換器へ熱媒体を供給する恒温水発生装置の熱媒体供給口に液温度測定センサーを具備したことを特徴とする上記（２）記載の電子写真用感光体の塗工液供給装置である。
【０００９】
（６）本発明により提供される電子写真用感光体の塗工液供給装置は、塗工槽からの戻り液を貯溜するストレージタンクと、塗工液を送液するポンプと、ポンプから送られてくる塗工液の除塵を行うフィルターと、塗工液の流量を計測する流量計と、この塗工液を冷却もしくは加熱する熱交換器と、この熱交換器へ熱媒体を供給する恒温水発生装置と、感光体に塗工液を塗布する塗工槽と、前記の経路で送る管路を具備し、且つ前記ストレージタンクに液温度測定センサーを具備したことを特徴とする上記（２）記載の電子写真用感光体の塗工液供給装置である。
【００１０】
（７）本発明により提供される電子写真用感光体の塗工液供給装置は、塗工槽からの戻り液を貯溜するストレージタンクと、塗工液を送液するポンプと、ポンプから送られてくる塗工液の除塵を行うフィルターと、塗工液の流量を計測する流量計と、この塗工液を冷却もしくは加熱する熱交換器と、この熱交換器の熱媒体を供給する恒温水発生装置と、感光体に塗工液を塗布する塗工槽と、前記の経路で送る管路を具備し、且つ前記熱交換器が複数台直列に配されたことを特徴とする上記（２）記載の電子写真用感光体の塗工液供給装置である。
【００１１】
（８）本発明により提供される電子写真用感光体の塗工液供給装置は、塗工槽からの戻り液を貯溜するストレージタンクと、塗工液を送液するポンプと、ポンプから送られてくる塗工液の除塵を行うフィルターと、塗工液の流量を計測する流量計と、この塗工液を冷却もしくは加熱する熱交換器と、この熱交換器の熱媒体を供給する恒温水発生装置と、感光体に塗工液を塗布する塗工槽と、前記の経路で送る管路を具備し、且つ前記熱交換器が複数台並列に配したことを特徴とする上記（２）記載の電子写真用感光体の塗工液供給装置である。
【００１２】
（９）本発明により提供される電子写真用感光体の塗工液供給装置は、塗工槽からの戻り液を貯溜するストレージタンクと、塗工液を送液するポンプと、ポンプから送られてくる塗工液の除塵を行うフィルターと、塗工液の流量を計測する流量計と、ストレージタンク胴囲に塗工液を冷却もしくは加熱する熱交換器と、この熱交換器へ熱媒体を供給する恒温水発生装置と、感光体に塗工液を塗布する塗工槽と、前記の経路で送る管路を具備したことを特徴とする。
【００１３】
（１０）本発明により提供される電子写真用感光体の塗工液供給装置は、塗工槽からの戻り液を貯溜するストレージタンクと、塗工液を送液するポンプと、ポンプから送られてくる塗工液の除塵を行うフィルターと、塗工液の流量を計測する流量計と、ストレージタンク胴囲に塗工液を冷却もしくは加熱する熱交換器と、この熱交換器へ熱媒体を供給する恒温水発生装置と、感光体に塗工液を塗布する塗工槽と、前記の経路で送る管路を具備し、且つ前記熱交換器がジャケットであることを特徴とする上記（９）記載の電子写真用感光体の塗工液供給装置である。
【００１４】
（１１）本発明により提供される電子写真用感光体の塗工液供給装置は、塗工槽からの戻り液を貯溜するストレージタンクと、塗工液を送液するポンプと、ポンプから送られてくる塗工液の除塵を行うフィルターと、塗工液の流量を計測する流量計と、ストレージタンク胴囲に塗工液を冷却もしくは加熱する熱交換器と、この熱交換器へ熱媒体を供給する恒温水発生装置と、感光体に塗工液を塗布する塗工槽と、前記の経路で送る管路を具備し、且つ前記熱交換器内の熱媒体を通した熱交換部が螺旋形状の配管であることを特徴とする上記（９）記載の電子写真用感光体の塗工液供給装置である。
【００１５】
（１２）本発明により提供される電子写真用感光体の塗工液供給装置は、塗工槽からの戻り液を貯溜するストレージタンクと、塗工液を送液するポンプと、ポンプから送られてくる塗工液の除塵を行うフィルターと、塗工液の流量を計測する流量計と、ストレージタンク胴囲に塗工液を冷却もしくは加熱する熱交換器と、この熱交換器へ熱媒体を供給する恒温水発生装置と、感光体に塗る工液を塗布する塗工槽と、前記の経路で送る管路を具備し、且つ塗工槽に液温測定センサーを具備し、この液温測定センサーから得られた温度データを監視し、このデータを基に恒温水発生装置の熱媒体の温度を制御する温度制御装置を具備したことを特徴とする上記（９）記載の電子写真用感光体の塗工液供給装置である。
【００１６】
（１３）本発明により提供される電子写真用感光体の塗工液供給装置は、塗工槽からの戻り液を貯溜するストレージタンクと、塗工液を送液するポンプと、ポンプから送られてくる塗工液の除塵を行うフィルターと、塗工液の流量を計測する流量計と、ストレージタンク胴囲に塗工液を冷却もしくは加熱する熱交換器と、この熱交換器へ熱媒体を供給する恒温水発生装置と、感光体に塗工液を塗布する塗工槽と、前記の経路で送る管路を具備し、且つ前記熱交換器の熱媒体を供給する恒温水発生装置の熱媒体供給口に液温度測定センサーを具備したことを特徴とする上記（９）記載の電子写真用感光体の塗工液供給装置である。
【００１７】
（１４）本発明により提供される電子写真用感光体の塗工液供給装置は、塗工槽からの戻り液を貯溜するストレージタンクと、塗工液を送液するポンプとポンプから送られてくる塗工液の除塵を行うフィルターと、塗工液の流量を計測する流量計と、ストレージタンク胴囲に塗工液を冷却もしくは加熱する熱交換器と、この熱交換器へ熱媒体を供給する恒温水発生装置と、感光体に塗工液を塗布する塗工槽と、前記の経路で送る管路を具備し、且つ前記ストレージタンクに液温度測定センサーを具備したことを特徴とする上記（９）記載の電子写真用感光体の塗工液供給装置である。
【００１８】
（１５）本発明により提供される電子写真用感光体の塗工液供給方法は、ストレージタンクに貯溜した塗工液をポンプで送液し、ポンプから送られてくる塗工液をフィルターで除塵し、塗工液の流量を流量計で計測管理し、この塗工液を熱交換器で予冷もしくは加熱し、この熱交換器へ熱媒体を恒温水発生装置で供給し、感光体を浸漬法により塗布するため塗工槽に塗工液を供給することを特徴とする。
【００１９】
（１６）本発明により提供される電子写真用感光体の塗工液供給方法は、ストレージタンクに貯溜した塗工液をポンプで送液し、ポンプから送られてくる塗工液をフィルターで除塵し、塗工液の流量を流量計で計測管理し、この塗工液を熱交換器で予冷もしくは加熱し、この熱交換器へ熱媒体を恒温水発生装置で供給し、感光体を浸漬法により塗布するため塗工槽に塗工液を供給し、且つ前記熱交換器は管路であり、この管路に熱交換部の細管を配して、この細管に熱媒体を通して塗工液を送液しながら塗工液を一定温度にすることを特徴とする上記（１５）記載の電子写真用感光体の塗工液供給方法である。
【００２０】
（１７）本発明により提供される電子写真用感光体の塗工液供給方法は、ストレージタンクに貯溜した塗工液をポンプで送液し、ポンプから送られてくる塗工液をフィルターで除塵し、塗工液の流量を流量計で計測管理し、この塗工液を熱交換器で予冷もしくは加熱し、この熱交換器へ熱媒体を恒温水発生装置で供給し、感光体を浸漬法により塗布するため塗工槽に塗工液を供給し、且つ前記熱交換器の熱交換部の細路は螺旋形状でありこの細管に熱媒体を通して塗工液を一定温度にすることを特徴とする上記（１５）記載の電子写真用感光体の塗工液供給方法である。
【００２１】
（１８）本発明により提供される電子写真用感光体の塗工液供給方法は、ストレージタンクに貯溜した塗工液をポンプで送液し、ポンプから送られてくる塗工液をフィルターで除塵し、塗工液の流量を流量計で計測管理し、この塗工液を熱交換器で予冷もしくは加熱し、この熱交換器へ熱媒体を恒温水発生装置で供給し、感光体を浸漬法により塗布するため塗工槽に塗工液を供給し、且つ塗工槽の液温を液温測定センサーで計測し、この液温測定センサーから得られた温度データを監視し、このデータを基に熱媒体の温度を制御し、塗工液を一定温度にすることを特徴とする上記（１５）記載の電子写真用感光体の塗工液供給方法である。
【００２２】
（１９）本発明により提供される電子写真用感光体の塗工液供給方法は、ストレージタンクに貯溜した塗工液をポンプで送液し、ポンプから送られてくる塗工液をフィルターで除塵し、塗工液の流量を流量計で計測管理し、この塗工液を熱交換器で予冷もしくは加熱し、この熱交換器の熱媒体を恒温水発生装置で供給し、感光体を浸漬法により塗布するため塗工槽に塗工液を供給し、且つ熱交換器へ熱媒体を供給する恒温水発生装置の熱媒体供給口の液温を液温測定センサーで計測し、この液温測定センサーから得られた温度データを監視し、このデータを基に熱媒体の温度を制御し、塗工液を一定温度にすることを特徴とする上記（１５）記載の電子写真用感光体の塗工液供給方法である。
【００２３】
（２０）本発明により提供される電子写真用感光体の塗工液供給方法は、ストレージタンクに貯溜した塗工液をポンプで送液し、ポンプから送られてくる塗工液をフィルターで除塵し、塗工液の流量を流量計で計測管理し、この塗工液を熱交換器で予冷もしくは加熱し、この熱交換器へ熱媒体を恒温水発生装置で供給し、感光体を浸漬法で塗布する塗工槽に塗工液を供給し、且つストレージタンクの液温を液温測定センサーで計測し、この液温測定センサーから得られた温度データを監視し、このデータを基に熱媒体の温度を制御し、塗工液を一定温度にすることを特徴とする上記（１５）記載の電子写真用感光体の塗工液供給方法である。
【００２４】
（２１）本発明により提供される電子写真用感光体の塗工液供給方法は、ストレージタンクに貯溜した塗工液をポンプで送液し、ポンプから送られてくる塗工液をフィルターで除塵し、塗工液の流量を流量計で計測管理し、この塗工液を熱交換器で予冷もしくは加熱し、この熱交換器へ熱媒体を恒温水発生装置によって供給し、感光体を浸漬法により塗布するため塗工槽に塗工液を供給し、且つ直列に配され熱交換器で塗工液を一定温度にすることを特徴とする上記（１５）記載の電子写真用感光体の塗工液供給方法である。
【００２５】
（２２）本発明により提供される電子写真用感光体の塗工液供給方法は、ストレージタンクに貯溜した塗工液をポンプで送液し、ポンプから送られてくる塗工液をフィルターで除塵し、塗工液の流量を流量計で計測管理し、この塗工液を熱交換器で予冷もしくは加熱し、この熱交換器へ熱媒体を恒温水発生装置で供給し、感光体を浸漬法でより塗布するため塗工槽に塗工液を供給し、且つ並列に配された熱交換器で塗工液を一定温度にすることを特徴とする上記（１５）記載の電子写真用感光体の塗工液供給方法である。
【００２６】
（２３）本発明により提供される電子写真用感光体の塗工液供給方法は、ストレージタンクに貯溜した塗工液をポンプで送液し、ポンプから送られてくる塗工液をフィルターで除塵し、塗工液の流量を流量計で計測管理し、この塗工液を熱媒体を通したストレージタンクの胴囲の熱交換器で一定温度に保温し、感光体を浸漬法により塗布するため塗工槽に塗工液を供給することを特徴とする。
【００２７】
（２４）本発明により提供される電子写真用感光体の塗工液供給方法は、ストレージタンクに貯溜した塗工液をポンプで送液し、ポンプから送られてくる塗工液をフィルターで除塵し、交換器で一定温度に保温し、感光体を浸漬法により塗布するため塗工槽に塗工液を供給し、且つ熱媒体を通したストレージタンクの胴囲の熱交換器がジャケットであり、このジャケットに熱媒体を通して塗工液を一定温度に保温して塗工液を供給することを特徴とする上記（２３）記載の電子写真用感光体の塗工液供給方法である。
【００２８】
（２５）本発明により提供される電子写真用感光体の塗工液供給方法は、ストレージタンクに貯溜した塗工液をポンプで送液し、ポンプから送られてくる塗工液をフィルターで除塵し、塗工液の流量を流量計で計測管理し、この塗工液を熱媒体を通したストレージタンクの胴囲の熱交換器で一定温度に保温し、感光体を浸漬法により塗布するため塗工槽に塗工液を供給し、且つ熱交換器の熱交換部が螺旋形状の配管であり、この配管に熱媒体を通して塗工液を一定温度に保温して塗工液を供給することを特徴とする上記（２３）記載の電子写真用感光体の塗工液供給方法である。
【００２９】
（２６）本発明により提供される電子写真用感光体の塗工液供給方法は、ストレージタンクに貯溜した塗工液をポンプで送液し、ポンプから送られてくる塗工液をフィルターで除塵し、塗工液の流量を流量計で計測管理し、この塗工液を熱媒体を通したストレージタンクの胴囲の熱交換器で一定温度に保温し、感光体を浸漬法により塗布するため塗工槽に塗工液を供給し、且つ塗工槽の塗工液の液温を液温測定センサーで計測し、この液温測定センサーから得られた温度データを監視し、温度制御装置がこのデータを基に恒温水発生装置の熱媒体温度を制御し、塗工槽の塗工液を一定温度に保温して塗工液を供給することを特徴とする上記（２３）記載の電子写真用感光体の塗工液供給方法である。
【００３０】
（２７）本発明により提供される電子写真用感光体の塗工液供給方法は、ストレージタンクに貯溜した塗工液をポンプで送液し、ポンプから送られてくる塗工液をフィルターで除塵し、塗工液の流量を流量計で計測管理し、この塗工液を熱媒体を通したストレージタンクの胴囲の熱交換器で一定温度に保温し、感光体を浸漬法により塗布するため塗工槽に塗工液を供給し、且つ熱交換器の熱媒体を供給する恒温水発生装置の熱媒体供給口の液温を液温測定センサーで計測し、この液温測定センサーから得られた温度データを監視し、このデータを基に熱媒体の温度を制御し、塗工液を一定温度にすることを特徴とする上記（２３）記載の電子写真用感光体の塗工液供給方法である。
【００３１】
（２８）本発明により提供される電子写真用感光体の塗工液供給方法は、ストレージタンクに貯溜した塗工液をポンプで送液し、ポンプから送られてくる塗工液をフィルターで除塵し、塗工液の流量を流量計で計測管理し、この塗工液を熱媒体を通したストレージタンクの胴囲の熱交換器で一定温度に保温し、感光体を浸漬法により塗布するため塗工槽に塗工液を供給し、且つストレージタンクの液温を液温測定センサーで計測し、この液温測定センサーから得られた温度データを監視し、このデータを基に熱媒体の温度を制御し、塗工液を一定温度にすることを特徴とする上記（２３）記載の電子写真用感光体の塗工液供給方法である。
【００３２】
【作用】
請求項１の発明では、塗工槽からの戻り液を貯溜するストレージタンクと、塗工液を送液するポンプと、ポンプから送られてくる塗工液の除塵を行うフィルターと、塗工液の流量を計測する流量計と、この塗工液を冷却もしくは加熱する熱交換器と、この熱交換器の熱媒体を供給する恒温水発生装置と、感光体を塗布する塗工槽と、前記の経路で送る管路を具備したことを特徴とする塗工液供給装置で、熱交換器により塗工液を一定温度にし、その結果塗工液の粘度を一定にすることができる。従って、浸漬法による円筒状導電性基体に一定の塗工膜を形成することができ所望の製品品質を得ることができる。
【００３３】
請求項２の発明では、熱交換器は管路であり、この管路に熱媒体を通した熱交換部の細管を配しているので、コンパクトでしかも安価な熱交換器によって送液中の塗工液を一定温度にし、その結果、塗工液の粘度を一定にすることができる。従って、省スペースで且つ低コストの塗工液供給装置で、浸漬法によって円筒状導電性基体に一定の塗工膜を形成することができ、所望の製品品質を得ることができる。
【００３４】
請求項３の発明では、熱交換器内の熱媒体を通した熱交換部の細路が螺旋形状であるので、熱交換部の熱交換表面積を大きくすることができ、又、管路の圧力損失は最小限度となる。従って、効率の良い熱交換ができる塗工液供給装置による浸漬法によって円筒状導電性基体に一定の塗工膜を形成することができ、所望の製品品質を得ることができる。
【００３５】
請求項４の発明では、塗工槽に液温測定センサーを具備し、この液温測定センサーから得られた温度データを監視し、このデータを基に恒温水発生装置の熱媒体の温度を制御する温度制御装置を具備したことを特徴とする液供給装置で、塗工槽内の塗工液の温度を熱交換器の熱媒体の温度を制御することで一定にすることができる。従って、塗工槽の周囲温度の変化や送液中の周囲の温度の変化に対しても、塗工液を一定温度にすることができる塗工液供給装置で浸漬法によって円筒状導電性基体に一定の塗工膜を形成することができ、所望の製品品質を得ることができる。
【００３６】
請求項５の発明では、熱交換器の熱媒体を供給する恒温水発生装置の熱媒体供給口に液温度測定センサーを具備したことを特徴とする液供給装置で、塗工槽内の塗工液の温度を恒温水発生装置の熱媒体の供給口の温度を制御することで一定にすることができる。従って、塗工槽の周囲温度の変化や送液中の周囲の温度の変化に対しても塗工液を一定温度にすることができる塗工液供給装置で浸漬法によって円筒状導電性基体に一定の塗工膜を形成することができ、所望の製品品質を得ることができる。
【００３７】
請求項６の発明では、ストレージタンクに液温度測定センサーを具備したことを特徴とする液供給装置で、塗工槽内の塗工液の温度をストレージタンクの液温を制御することで一定にすることができる。従って、塗工槽の周囲温度の変化や送液中の周囲の温度の変化に対しても塗工液を一定温度にすることができる塗工液供給装置で、浸漬法によって円筒状導電性基体に一定の塗工膜を形成することができ、所望の製品品質を得ることができる。
【００３８】
請求項７の発明では、熱交換器が複数台直列に配されたことを特徴とする液供給装置で熱交換器を複数台直列に配することで、各種塗工液の塗工液の管理温度に対して熱交換量を自在に可変できる熱交換が行える。従って、多品種生産に対応できる塗工液供給装置で浸漬法によって円筒状導電性基体に一定の塗工膜を形成することができ、所望の製品品質を得ることができる。
【００３９】
請求項８の発明では、熱交換器が複数台並列に配されたことを特徴とする塗工液供給装置で熱交換器を複数台並列に配することで、塗工生産量の増加による送液量の増加に対して同じ熱交換量で塗工液の送液流量を自在に可変できる熱交換が行える。従って、多量生産に対応できる塗工液供給装置で浸漬法によって円筒状導電性基体に一定の塗工膜を形成することができ、所望の製品品質を得ることができる。
【００４０】
請求項９の発明では、塗工槽からの戻り液を貯溜するストレージタンクと、塗工液を送液するポンプと、ポンプから送られてくる塗工液の除塵を行うフィルターと、塗工液の流量を計測する流量計と、ストレージタンク胴囲に塗工液を冷却もしくは加熱する熱交換器と、この熱交換器へ熱媒体を供給する恒温水発生装置と、感光体を塗布する塗工槽と前記の経路で送る管路を具備したことを特徴とする塗工液供給装置で、ストレージタンク胴囲に塗工液を冷却もしくは加熱する熱交換器により、ストレージタンク内塗工液を一定温度にし、その結果塗工液の粘度を一定にすることができる。従って、浸漬法によって円筒状導電性基体に一定の塗工膜を形成することができ、所望の製品品質を得ることができる。
【００４１】
請求項１０の発明では、熱交換器がジャケットであることを特徴とする塗工液供給装置で、ジャケット内の熱媒体の封入体積が大きいので、ジャケット内の熱媒体の熱容量が大きくなり、塗工液への外乱温度に対して影響なくストレージタンク内塗工液を一定温度にし、その結果、塗工液の粘度を一定にすることができる。従って、塗工液への外乱温度に影響されない塗工液供給装置で、浸漬法によって円筒状導電性基体に一定の塗工膜を形成することができ、所望の製品品質を得ることができる。
【００４２】
請求項１１の発明では、熱交換器内の熱媒体を通した熱交換部が螺旋形状の配管であることを特徴とする塗工液供給装置で、熱媒体を通した熱交換部の配管が螺旋形状であるので、熱交換部の熱交換表面積を大きくすることができ、又、管路の圧力損失は最小限度となる。従って、効率の良い熱交換ができる塗工液供給装置で、浸漬法によって円筒状導電性基体に一定の塗工膜を形成することができ、所望の製品品質を得ることができる。
【００４３】
請求項１２の発明では、塗工槽に液温測定センサーを具備し、この液温測定センサーから得られた温度データを監視し、このデータを基に恒温水発生装置の熱媒体の温度を制御する温度制御装置を具備したことを特徴とする塗工液供給装置で、塗工槽内の塗工液の温度を熱交換器の熱媒体の温度を制御することで一定にすることができる。従って、塗工槽の周囲温度の変化や、送液中の周囲の温度の変化に対しても塗工液を一定温度にすることができる塗工液供給装置で、浸漬法によって円筒状導電性基体に一定の塗工膜を形成することができ、所望の製品品質を得ることができる。
【００４４】
請求項１３の発明では、熱交換器の熱媒体を供給する恒温水発生装置の熱媒体供給口に液温度測定センサーを具備したことを特徴とする塗工液供給装置で、塗工槽内の塗工液の温度を恒温水発生装置の熱媒体の供給口の温度を制御することで一定にすることができる。従って、塗工槽の周囲温度の変化や送液中の周囲の温度の変化に対しても塗工液を一定温度にすることができる塗工液供給装置で、浸漬法によって円筒状導電性基体に一定の塗工膜を形成することができ、所望の製品品質を得ることができる。
【００４５】
請求項１４の発明では、ストレージタンクに液温度測定センサーを具備したことを特徴とする液供給装置で、塗工槽内の塗工液の温度をストレージタンクの液温を制御することで一定にすることができる。従って、塗工槽の周囲温度の変化や送液中の周囲の温度の変化に対しても塗工液を一定温度にすることができる塗工液供給装置で、浸漬法によって円筒状導電性基体に一定の塗工膜を形成することができ、所望の製品品質を得ることができる。
【００４６】
請求項１５の発明では、ストレージタンクに貯溜した塗工液をポンプで送液し、ポンプから送られてくる塗工液をフィルターで除塵し、塗工液の流量を流量計で計測管理し、この塗工液を熱交換器で予冷もしくは加熱し、この熱交換器の熱媒体を恒温水発生装置で供給し、感光体を浸漬法で塗布する塗工槽に塗工液を供給する塗工液供給方法で、熱交換器により塗工液を一定温度にし、その結果塗工液の粘度を一定にすることができる。従って、浸漬法によって円筒状導電性基体に一定の塗工膜を形成することができ、所望の製品品質を得ることができる。
【００４７】
請求項１６の発明では、熱交換器は管路であり、この管路に熱交換部の細管を配して、この細管に熱媒体を通して塗工液を送液しながら塗工液を一定温度にする塗工液供給方法で、コンパクトでしかも安価な熱交換器で送液中の塗工液を一定温度にし、その結果塗工液の粘度を一定にすることができる。従って省スペースで且つ低コストの塗工液供給方法で浸漬法によって円筒状導電性基体に一定の塗工膜を形成することができ、所望の製品品質を得ることができる。
【００４８】
請求項１７の発明では、熱交換器の熱交換部の細路は螺旋形状であり、この細管に熱媒体を通して塗工液を一定温度にする塗工液供給方法で、熱交換器内の熱媒体を通した熱交換部の細路が螺旋形状であるので、熱交換部の熱交換表面積を大きくすることができ、又、管路の圧力損失は最小限度となる。従って、効率の良い熱交換ができる塗工液供給方法で浸漬法によって円筒状導電性基体に一定の塗工膜を形成することができ、所望の製品品質を得ることができる。
【００４９】
請求項１８の発明では、塗工槽の液温を液温測定センサーで計測し、この液温測定センサーから得られた温度データを監視し、このデータを基に熱媒体の温度を制御し、塗工液を一定温度にする塗工液供給方法で、塗工槽内の塗工液の温度を熱交換器の熱媒体の温度を制御することで一定にすることができる。従って、塗工槽の周囲温度の変化や送液中の周囲の温度の変化に対しても塗工液を一定温度にすることができる塗工液供給方法で、浸漬法によって円筒状導電性基体に一定の塗工膜を形成することができ、所望の製品品質を得ることができる。
【００５０】
請求項１９の発明では、熱交換器の熱媒体を供給する恒温水発生装置の熱媒体供給口の液温を液温測定センサーで計測し、この液温測定センサーから得られた温度データを監視し、このデータを基に熱媒体の温度を制御し、塗工液を一定温度にする塗工液供給方法で、塗工槽内の塗工液の温度を恒温水発生装置の熱媒体の供給口の温度を制御することで一定にすることができる。従って、塗工槽の周囲温度の変化や送液中の周囲の温度の変化に対しても塗工液を一定温度にすることができる塗工液供給装置で、浸漬法によって円筒状導電性基体に一定の塗工膜を形成することができ所望の製品品質を得ることができる。
【００５１】
請求項２０の発明では、ストレージタンクの液温を液温測定センサーで計測し、この液温測定センサーから得られた温度データを監視し、このデータを基に熱媒体の温度を制御し、塗工液を一定温度にする塗工液供給方法で、塗工槽内の塗工液の温度をストレージタンクの液温を制御することで一定にすることができる。従って、塗工槽の周囲温度の変化や送液中の周囲の温度の変化に対しても塗工液を一定温度にすることができる液供給装置で、浸漬法によって円筒状導電性基体に一定の塗工膜を形成することができ、所望の製品品質を得ることができる。
【００５２】
請求項２１の発明では、直列に配した熱交換器で塗工液を一定温度にする液供給方法で、熱交換器を複数台直列に配することで、各種塗工液の塗工液の管理温度に対して熱交換量を自在に可変できる熱交換が行える。従って、多品種生産に対応できる塗工液供給方法で浸漬法によって円筒状導電性基体に一定の塗工膜を形成することができ、所望の製品品質を得ることができる。
【００５３】
請求項２２の発明では、並列に配した熱交換器で塗工液を一定温度にする液供給方法で熱交換器を複数台並列に配することで、塗工生産量の増加による送液量の増加に対して同じ熱交換量で塗工液の送液を自在に可変できる熱交換が行える。従って、多量生産に対応できる液供給方法で浸漬法によって円筒状導電性基体に一定の塗工膜を形成することができ、所望の製品品質を得ることができる。
【００５４】
請求項２３の発明では、ストレージタンクに貯溜した塗工液をポンプで送液し、ポンプから送られてくる塗工液をフィルターで除塵し、塗工液の流量を流量計で計測管理し、この塗工液を熱媒体を通したストレージタンクの胴囲の熱交換器で一定温度に保温し、感光体を浸漬法で塗布する塗工槽に塗工液を供給する液供給方法で、ストレージタンク胴囲に塗工液を冷却もしくは加熱する熱交換器によりストレージタンク内塗工液を一定温度にし、その結果塗工液の粘度を一定にすることができる。従って、浸漬法によって円筒状導電性基体に一定の塗工膜を形成することができ、所望の製品品質を得ることができる。
【００５５】
請求項２４の発明では、熱媒体を通したストレージタンクの胴囲の熱交換器がジャケットでこのジャケットに熱媒体を通して塗工液を一定温度の保温して塗工液を供給する液供給方法で、熱媒体ジャケット内の熱媒体の封入体積が大きいので、ジャケット内の熱媒体の熱容量が大きくなり、塗工液への外乱温度に対して影響なくストレージタンク内塗工液を一定温度にし、その結果塗工液の粘度を一定にすることができる。従って、塗工液への外乱温度に影響されない液供給方法で浸漬法によって円筒状導電性基体に一定の塗工膜を形成することができ、所望の製品品質を得ることができる。
【００５６】
請求項２５の発明では、熱交換器の熱交換部が螺旋形状の配管であり、この配管に熱媒体を通して塗工液を一定温度にする液供給方法で、熱交換器内の熱媒体を通した熱交換部の細路が螺旋形状であるので熱交換部の熱交換表面積を大きくすることができ、又、管路の圧力損失は最小限度となる。従って、効率の良い熱交換ができる液供給方法で浸漬法によって円筒状導電性基体に一定の塗工膜を形成することができ、所望の製品品質を得ることができる。
【００５７】
請求項２６の発明では、塗工槽の塗工液の液温を液温測定センサーで計測し、この液温測定センサーから得られた温度データを監視し、温度制御装置がこのデータを基に恒温水発生装置の熱媒体温度を制御し、塗工槽の塗工液を一定温度に保温して塗工液を供給する液供給方法で、塗工槽内の塗工液の温度を熱交換器の熱媒体の温度を制御することで一定にすることができる。従って、塗工槽の周囲温度の変化や、送液中の周囲の温度の変化に対しても塗工液を一定温度にすることができる液供給方法で、浸漬法によって円筒状導電性基体に一定の塗工膜を形成することができ、所望の製品品質を得ることができる。
【００５８】
請求項２７の発明では、熱交換器の熱媒体を供給する恒温水発生装置の熱媒体供給口の液温を液温測定センサーで計測し、この液温測定センサーから得られた温度データを監視し、このデータを基に熱媒体の温度を制御し、塗工液を一定温度にする液供給方法で塗工槽内の塗工液の温度を恒温水発生装置の熱媒体の供給口の温度を制御することで一定にすることができる。従って、塗工槽の周囲温度の変化や送液中の周囲の温度の変化に対しても塗工液を一定温度にすることができる塗工液供給装置で、浸漬法によって円筒状導電性基体に一定の塗工膜を形成することができ、所望の製品品質を得ることができる。
【００５９】
【発明の実施の形態】
以下、本発明を実施例に基づき詳細に説明する。
図１は、本発明の第１の実施例に係る塗工液供給装置を示す図である。この装置は塗工槽からの戻り液を貯溜するストレージタンク１と、塗工液を送液するポンプ２と、ポンプ２から送られてくる塗工液の除塵を行うフィルター４と、塗工液の流量を計測する流量計３と、この塗工液を冷却もしくは加熱する熱交換器５と、この熱交換器へ熱媒体を供給する恒温水発生装置７及び熱媒体供給管１４と、感光体を塗布する塗工槽６と、前記の経路で送る管路８で構成される。この装置によれば、熱交換器５により塗工液１１を一定温度にし、その結果塗工液１１の粘度を一定にすることができる。従って、浸漬法による円筒状導電性基体の一定の塗工膜を形成することができ所望の製品品質を得ることができる。
【００６０】
図２は本発明の第２の実施例に係る塗工液供給装置を示す図で、図１に示す第１の実施例の装置において、熱交換器５は管路であり、この管路に熱媒体を通した熱交換部の細管５ａを配している。この装置によれば、コンパクトでしかも安価な熱交換器５で送液中の塗工液を一定温度にし、その結果塗工液の粘度を一定にすることができる。従って、省スペースで且つ低コストの液供給装置で、浸漬法による円筒状導電性基体の一定の塗工膜を形成することができ、所望の製品品質を得ることができる。
【００６１】
図３は本発明の第３の実施例に係る塗工液供給装置を示す図で、図２に示す第２の実施例の装置において、熱交換器内の熱媒体を通した熱交換部の細路５ａが螺旋形状である。図４は細路５ａの拡大図である。この装置によれば、熱交換部の熱交換表面積を大きくすることができ、又、管路の圧力損失は最小限度となる。従って、効率の良い熱交換ができる液供給装置で、浸漬法によって円筒状導電性基体に一定の塗工膜を形成することができ、所望の製品品質を得ることができる。
【００６２】
図５は本発明の第４の実施例に係る塗工液供給装置を示す図で、図２に示す第２の実施例の装置において塗工槽６に液温測定センサー９を具備し、この液温測定センサー９から得られた温度データを監視し、このデータを基に恒温水発生装置７の熱媒体の温度を制御する温度制御装置１０を具備している。この装置によれば、塗工槽内の塗工液１１の温度を熱交換器５内の熱媒体の温度を制御することで一定にすることができる。従って、塗工槽の周囲温度の変化や、送液中の周囲の温度の変化に対しても塗工液を一定温度にすることができる塗工液供給装置で、浸漬法により円筒状導電性基体に一定の塗工膜を形成することができ、所望の製品品質を得ることができる。
【００６３】
図６は本発明の第５の実施例に係る塗工液供給装置を示す図で、図２に示す第２の実施例の装置において恒温水発生装置７の熱媒体供給口に液温測定センサー９を具備し、この液温測定センサー９から得られた温度データを監視し、このデータを基に恒温水発生装置７の熱媒体の温度を制御する温度制御装置１０を具備している。この装置によれば、塗工槽内の塗工液１１の温度を熱交換器５の熱媒体の温度を制御することで一定にすることができる。従って、塗工槽の周囲温度の変化や送液中の周囲の温度の変化に対しても塗工液を一定温度にすることができる液供給装置で、浸漬法による円筒状導電性基体の一定の塗工膜を形成することができ、所望の製品品質を得ることができる。
【００６４】
図７は本発明の第６の実施例に係る塗工液供給装置を示す図で、図２に示す第２の実施例の装置においてストレージタンク１の熱媒体供給口に液温測定センサー９を具備し、この液温測定センサー９から得られた温度データを監視し、このデータを基に恒温水発生装置７の熱媒体の温度を制御する温度制御装置１０を具備している。この装置によれば、塗工槽内の塗工液１１の温度を熱交換器５の熱媒体の温度を制御することで一定にすることができる。従って、塗工槽の周囲温度の変化や、送液中の周囲の温度の変化に対しても、塗工液を一定温度にすることができる液供給装置で、浸漬法による円筒状導電性基体の一定の塗工膜を形成することができ、所望の製品品質を得ることができる。
【００６５】
図８は本発明の第７の実施例に係る塗工液供給装置を示す図で、図２に示す第２の実施例の装置において熱交換器５が複数台直列に配されている。この装置によれば、熱交換器５を複数台直列に配することで、各種塗工液１１の塗工液の管理温度に対して熱交換量を自在に可変できる熱交換が行える。従って、多品種生産に対応できる液供給装置で、浸漬法による円筒状導電性基体の一定の塗工膜を形成することができ、所望の製品品質を得ることができる。
【００６６】
図９は本発明の第８の実施例に係る液供給装置を示す図で、図２に示す第２の実施例の装置において、熱交換器５が複数台並列に配されている。この装置によれば、熱交換器５を複数台並列に配することで、塗工生産量の増加による送液量の増加に対して同じ熱交換量で塗工液１１の送液流量を自在に可変できる熱交換が行える。従って、多量生産に対応できる液供給装置で浸漬法による円筒状導電性基体の一定の塗工膜を形成することができ、所望の製品品質を得ることができる。
【００６７】
図１０は本発明の第９の実施例に係る塗工液供給装置を示す図である。この装置は塗工槽６からの戻り液を貯溜するストレージタンク１と、塗工液１１を送液するポンプ２と、ポンプ２から送られてくる塗工液１１の除塵を行うフィルター４と、塗工液１１の流量を計測する流量計３と、ストレージタンク１胴囲に塗工液１１を冷却もしくは加熱する熱交換器５と、この熱交換器５に熱媒体を供給する恒温水発生装置７及び熱媒体供給管１５と、円筒状導電性気体１２を塗布する塗工槽６と、前記の経路で送る管路８で構成される。この装置によれば、ストレージタンク１胴囲に塗工液１１を冷却もしくは加熱する熱交換器５により、ストレージタンク１内塗工液１１を一定温度にし、その結果塗工液１１の粘度を一定にすることができる。従って、浸漬法による円筒状導電性基体の一定の塗工膜を形成することができ所望の製品品質を得ることができる。
【００６８】
図１１は、本発明の第１０の実施例に係る塗工液供給装置を示す図で、図１０に示す第９の実施例の装置において熱交換器５がジャケット５ｂである。この装置によれば、ジャケット５ｂ内の熱媒体の封入体積が大きいので、ジャケット５ｂ内の熱媒体の熱容量が大きくなり塗工液１１への外乱温度に対して影響なくストレージタンク１内塗工液１１を一定温度にし、その結果塗工液１１の粘度を一定にすることができる。従って、塗工液への外乱温度に影響されない塗工液供給装置で、浸漬法による円筒状導電性基体の一定の塗工膜を形成することができ、所望の製品品質を得ることができる。
【００６９】
図１２は本発明の第１１の実施例に係る塗工液供給装置を示す図で、図１０に示す第９の実施例の装置において、熱交換器５内の熱媒体を通した熱交換部が螺旋形状の配管である。この装置によれば、熱交換部の熱交換表面積を大きくすることができ、又、管路の圧力損失は最小限度となる。従って、効率の良い熱交換ができる塗工液供給装置で、浸漬法による円筒状導電性基体の一定の塗工膜を形成することができ、所望の製品品質を得ることができる。
【００７０】
図１３は本発明の第１２の実施例に係る塗工液供給装置を示す図で、図１０に示す第９の実施例の装置において塗工槽１１に液温測定センサー９を具備し、この液温測定センサー９から得られた温度データを監視し、このデータを基に恒温水発生装置７の熱媒体の温度を制御する温度制御装置１０を具備している。この装置によれば、塗工槽６内の塗工液１１の温度を熱交換器５の熱媒体の温度を制御することで一定にすることができる。従って、塗工槽の周囲温度の変化や、送液中の周囲の温度の変化に対しても塗工液を一定温度にすることができる塗工液供給装置で、浸漬法による円筒状導電性基体の一定の塗工膜を形成することができ、所望の製品品質を得ることができる。
【００７１】
図１４は本発明の第１３の実施例に係る塗工液供給装置を示す図で、図１０に示す第９の実施例の装置において恒温水発生装置７の熱媒体供給口に液温測定センサー９を具備し、この液温測定センサー９から得られた温度データを監視し、このデータを基に恒温水発生装置７の熱媒体の温度を制御する温度制御装置１０を具備している。この装置によれば、塗工槽内の塗工液１１の温度を熱交換器５の熱媒体の温度を制御することで一定にすることができる。従って、塗工槽の周囲温度の変化や送液中の周囲の温度の変化に対しても、塗工液を一定温度にすることができる塗工液供給装置で、浸漬法による円筒状導電性基体の一定の塗工膜を形成することができ、所望の製品品質を得ることができる。
【００７２】
図１５は本発明の第１４の実施例に係る液供給装置を示す図で、図１０に示す第９の実施例の装置において、ストレージタンク１内に液温測定センサー９を具備し、この液温測定センサー９から得られた温度データを監視し、このデータを基に恒温水発生装置７の熱媒体の温度を制御する温度制御装置１０を具備している。この装置によれば、塗工槽内の塗工液１１の温度を熱交換器５の熱媒体の温度を制御することで一定にすることができる。従って、塗工槽の周囲温度の変化や送液中の周囲の温度の変化に対しても塗工液を一定温度にすることができる塗工液供給装置で、浸漬法による円筒状導電性基体の一定の塗工膜を形成することができ、所望の製品品質を得ることができる。
【００７３】
【発明の効果】
本発明によれば、電子写真用有機感光体に塗工液を塗布するに当たり、塗工液の液温が環境温度で影響を受けて、粘度が変化し、浸漬法のよる円筒状導電性基体の塗布付着量に大きく影響を及ぼすようなことが無く、安定した塗布膜を形成することができる。
【図面の簡単な説明】
【図１】本発明による第１の実施例に係る塗工液供給装置の説明図である。
【図２】本発明による第２の実施例に係る塗工液供給装置の説明図である。
【図３】本発明による第３の実施例に係る塗工液供給装置の説明図である。
【図４】図３における細路の拡大図である。
【図５】本発明による第４の実施例に係る塗工液供給装置の説明図である。
【図６】本発明による第５の実施例に係る塗工液供給装置の説明図である。
【図７】本発明による第６の実施例に係る塗工液供給装置の説明図である。
【図８】本発明による第７の実施例に係る塗工液供給装置の説明図である。
【図９】本発明による第８の実施例に係る塗工液供給装置の説明図である。
【図１０】本発明による第９の実施例に係る塗工液供給装置の説明図である。
【図１１】本発明による第１０の実施例に係る塗工液供給装置の説明図である。
【図１２】本発明による第１１の実施例に係る塗工液供給装置の説明図である。
【図１３】本発明による第１２の実施例に係る塗工液供給装置の説明図である。
【図１４】本発明による第１３の実施例に係る塗工液供給装置の説明図である。
【図１５】本発明による第１４の実施例に係る塗工液供給装置の説明図である。
【図１６】従来の塗工液供給装置の説明図である。
【符号の説明】
１　ストレージタンク
２　ポンプ
３　流量計
４　フィルター
５　熱交換器
５ａ熱交換部の細管
５ｂジャケット
６　塗工槽
７　恒温水発生装置
８　管路
８ａ供給配管系
８ｂ塗布液供給口
８ｃオーバーフロー配管系
９　液温測定センサー
１０　温度制御装置
１１　塗工液
１２　円筒状導電性基体
１４，１５　熱媒体供給管
【図１】
2004029176.tif 000003
【図２】
2004029176.tif 000004
【図３】
2004029176.tif 000005
【図４】
2004029176.tif 000006
【図５】
2004029176.tif 000007
【図６】
2004029176.tif 000008
【図７】
2004029176.tif 000009
【図８】
2004029176.tif 000010
【図９】
2004029176.tif 000011
【図１０】
2004029176.tif 000012
【図１１】
2004029176.tif 000013
【図１２】
2004029176.tif 000014
【図１３】
2004029176.tif 000015
【図１４】
2004029176.tif 000016
【図１５】
2004029176.tif 000017
【図１６】
2004029176.tif 000018